【手続補正書】
【提出日】平成17年7月8日(2005.7.8)
【手続補正１】
【補正対象書類名】明細書
【補正対象項目名】特許請求の範囲
【補正方法】変更
【補正の内容】
【特許請求の範囲】
【請求項１】
光記録媒体の記録層に使用される色素組成物であって、前記色素組成物は、記録特性が異なる第１の色素および第２の色素の２種類の色素を含有し、前記第１の色素および前記第２の色素の少なくとも一方はアゾ化合物の金属キレート錯体であり、前記第１の色素の記録波長での屈折率ｎ１および消衰係数ｋ１と、前記第２の色素の記録波長での屈折率ｎ２および消衰係数ｋ２との関係が、下記式（Ａ）、（Ｂ）および（Ｃ）の関係を満たす色素組成物。
ｋ１＞ｋ２                                                        （Ａ）
１．００＜ｋ１／ｋ２≦５．００                                    （Ｂ）
ｎ１／ｎ２≦１．０５                                              （Ｃ）
【請求項２】
前記２種類の色素が、それぞれアゾ化合物の金属キレート錯体である請求項１記載の色素組成物。
【請求項３】
前記２種類の色素のうち少なくとも１種類が、シアニン系色素である請求項１記載の色素組成物。
【請求項４】
前記２種類の色素のうち、少なくとも１種類が、下記一般式（Ｉ）で表される化合物と金属とのキレート錯体である請求項１〜３のいずれか１項に記載の色素組成物。
【化１】
2004042504.tif 000001
2004042504.tif 000002
ただし、式中、
Ｄは５員環以上の単環または縮合環であり、酸素原子およびイオウ原子の少なくとも一方を含んでいても良く、式中に示した以外の窒素原子をさらに含んでいても良い。
Ｂは、単環または縮合環であり、炭素原子と水素原子で構成されているか、または炭素原子と窒素原子と水素原子で構成されている。
上記ＤおよびＢは、任意の置換基を有していても良い。
Ｚは、炭素数１以上のアルキル基であり、水素原子が１個以上のフッ素原子により置換されていても良い。
【請求項５】
ＤまたはＢが、任意にフッ素原子で置換されたアルキル基、アルコキシル基、シアノアルキル基、ニトロ基、シアノ基およびハロゲン基のうち少なくとも一つの置換基を有する請求項４記載の色素組成物。
【請求項６】
前記２種類の色素のうち、少なくとも１種類が、下記一般式（II）で表される化合物と金属とのキレート錯体である請求項１〜５のいずれか１項に記載の色素組成物。
【化２】
2004042504.tif 000003
2004042504.tif 000004
ただし、式中、
Ａは、イソキサゾールに縮合した環である。
Ｂは、単環または縮合環であり、炭素原子と水素原子で構成されているか、または炭素原子と窒素原子と水素原子で構成されている。
上記ＡおよびＢは、任意の置換基を有していても良い。
Ｚは、炭素数１以上のアルキル基であり、水素原子が１個以上のフッ素原子により置換されていても良い。
【請求項７】
ＡまたはＢが、任意にフッ素原子で置換されたアルキル基、アルコキシル基、シアノアルキル基、ニトロ基、シアノ基およびハロゲン基のうち少なくとも一つの置換基を有する請求項６記載の色素組成物。
【請求項８】
前記２種類の色素のうち、少なくとも１種類が、下記一般式（III）で表される化合物と金属とのキレート錯体である請求項１〜７のいずれか１項に記載の色素組成物。
【化３】
2004042504.tif 000005
2004042504.tif 000006
ただし、式中、
Ｒ1、Ｒ2、Ｒ3およびＲ4は、それぞれ水素原子または任意の置換基である。
Ｂは、単環または縮合環であり、炭素原子と水素原子で構成されているか、または炭素原子と窒素原子と水素原子で構成されており、任意の置換基を有していても良い。
Ｚは、炭素数１以上のアルキル基であり、水素原子が１個以上のフッ素原子により置換されていても良い。
【請求項９】
Ｒ1、Ｒ2、Ｒ3およびＲ4が、それぞれ水素原子、アルキル基またはシアノアルキル基であり、Ｂが、任意にフッ素原子で置換されたアルキル基、アルコキシル基、シアノアルキル基、ニトロ基、シアノ基およびハロゲン基のうち少なくとも一つの置換基を有する請求項８記載の色素組成物。
【請求項１０】
前記２種類の色素のうち、少なくとも１種類が、下記一般式（IV）で表される化合物と金属とのキレート錯体である請求項１〜９のいずれか１項に記載の色素組成物。
【化４】
2004042504.tif 000007
2004042504.tif 000008
ただし、式中、
Ｒ1、Ｒ2およびＲ3は、それぞれ水素原子または任意の置換基である。
Ｂは、単環または縮合環であり、炭素原子と水素原子で構成されているか、または炭素原子と窒素原子と水素原子で構成されており、任意の置換基を有していても良い。
Ｚは、炭素数１以上のアルキル基であり、水素原子が１個以上のフッ素原子により置換されていても良い。
【請求項１１】
Ｒ1、Ｒ2およびＲ3が、それぞれ、水素原子、任意にフッ素原子で置換されたアルキル基、アルコキシアルキル基、アルコキシル基、シアノアルキル基、ニトロ基、シアノ基またはハロゲン基であり、Ｂが、任意にフッ素原子で置換されたアルキル基、アルコキシル基、シアノアルキル基、ニトロ基、シアノ基およびハロゲン基のうち少なくとも一つの置換基を有する請求項１０記載の色素組成物。
【請求項１２】
前記２種類の色素のうち、少なくとも１種類が、下記一般式（Ｖ）で表される化合物と金属とのキレート錯体である請求項１〜１１のいずれか１項に記載の色素組成物。
【化５】
2004042504.tif 000009
2004042504.tif 000010
ただし、式中、
Ｒ1およびＲ2は、それぞれ水素原子または任意の置換基である。
Ｂは、単環または縮合環であり、炭素原子と水素原子で構成されているか、または炭素原子と窒素原子と水素原子で構成されており、任意の置換基を有していても良い。
Ｚは、炭素数１以上のアルキル基であり、水素原子が１個以上のフッ素原子により置換されていても良い。
【請求項１３】
Ｒ1およびＲ2が、それぞれ、水素原子、任意にフッ素原子で置換されたアルキル基、アルコキシアルキル基、アルコキシル基、シアノアルキル基、ニトロ基、シアノ基またはハロゲン基であり、Ｂが、任意にフッ素原子で置換されたアルキル基、アルコキシル基、シアノアルキル基、ニトロ基、シアノ基およびハロゲン基のうち少なくとも一つの置換基を有する請求項１２記載の色素組成物。
【請求項１４】
前記２種類の色素のうち、少なくとも１種類が、下記一般式（VI）で表される化合物と金属とのキレート錯体である請求項１〜１３のいずれか１項に記載の色素組成物。
【化６】
2004042504.tif 000011
2004042504.tif 000012
ただし、式中、
Ｒ1は、水素原子または任意の置換基である。
Ｂは、単環または縮合環であり、炭素原子と水素原子で構成されているか、または炭素原子と窒素原子と水素原子で構成されており、任意の置換基を有していても良い。
Ｚは、炭素数１以上のアルキル基であり、水素原子が１個以上のフッ素原子により置換されていても良い。
【請求項１５】
Ｒ1が、水素原子、任意にフッ素原子で置換されたアルキル基、アルコキシアルキル基、アルコキシル基、シアノアルキル基、ニトロ基、シアノ基またはハロゲン基であり、Ｂが、任意にフッ素原子で置換されたアルキル基、アルコキシル基、シアノアルキル基、ニトロ基、シアノ基およびハロゲン基のうち少なくとも一つの置換基を有する請求項１４記載の色素組成物。
【請求項１６】
前記２種類の色素のうち、少なくとも１種類が、下記一般式（VII）で表される化合物と金属とのキレート錯体である請求項１〜１５のいずれか１項に記載の色素組成物。
【化７】
2004042504.tif 000013
2004042504.tif 000014
ただし、式中、Ｒ1、Ｒ2およびＲ3は、水素原子または任意の置換基である。
Ｂは、単環または縮合環であり、炭素原子と水素原子で構成されているか、または炭素原子と窒素原子と水素原子で構成されており、任意の置換基を有していても良い。
Ｚは、炭素数１以上のアルキル基であり、水素原子が１個以上のフッ素原子により置換されていても良い。
【請求項１７】
Ｒ1、Ｒ2およびＲ3が、それぞれ、水素原子、任意にフッ素原子で置換されたアルキル基、アルコキシアルキル基、アルコキシル基、シアノアルキル基、ニトロ基、シアノ基、ハロゲン基、または任意に窒素原子、酸素原子およびイオウ原子のうち少なくとも一つを含む単環もしくは縮合環であり、Ｂが、任意にフッ素原子で置換されたアルキル基、アルコキシル基、シアノアルキル基、ニトロ基、シアノ基およびハロゲン基のうち少なくとも一つの置換基を有する請求項１６記載の色素組成物。
【請求項１８】
キレート錯体を形成する金属が、Ｃｏ、Ｎｉ、ＣｕおよびＺｎからなる群から選択される少なくとも一つである請求項１〜１７のいずれか１項に記載の色素組成物。
【請求項１９】
基板上に記録層が形成されている光記録媒体であって、前記記録層が請求項１〜１８のいずれか１項に記載の色素組成物を含むことを特徴とする光記録媒体。
【手続補正２】
【補正対象書類名】明細書
【補正対象項目名】０００６
【補正方法】変更
【補正の内容】
【０００６】
【課題を解決するための手段】
前記課題を解決するために、本発明の色素組成物は、光記録媒体の記録層に使用される色素組成物であって、記録特性が異なる第１の色素および第２の色素の２種類の色素を含有し、前記第１の色素および前記第２の色素の少なくとも一方はアゾ化合物の金属キレート錯体であり、前記第１の色素の記録波長での屈折率ｎ１および消衰係数ｋ１と、前記第２の色素の記録波長での屈折率ｎ２および消衰係数ｋ２との関係が、下記式（Ａ）、（Ｂ）および（Ｃ）の関係を満たす。
ｋ１＞ｋ２                                                        （Ａ）
１．００＜ｋ１／ｋ２≦５．００                                    （Ｂ）
ｎ１／ｎ２≦１．０５                                              （Ｃ）
なお、ｎ１／ｎ２の下限値は特に限定されないが、０を越える値である。
【手続補正３】
【補正対象書類名】明細書
【補正対象項目名】０００９
【補正方法】変更
【補正の内容】
【０００９】
本発明の色素組成物において、前記２種類の色素が、それぞれアゾ化合物の金属キレート錯体であるか、または、前記２種類の色素のうち少なくとも１種類が、シアニン系色素であることが好ましい。